(57)【要約】【課題】  太陽電池パネル自体が、風雨、降雪にさらされるのを防止し、かつ、アンテナやビデオカメラが、直接、降雨、降雪にさらされ、それぞれの機能が損なわれるの防止することが可能な発電装置付き無線システムを提供する。【解決手段】  筒状の支柱と、前記筒状の支柱に取り付けられるアンテナと、前記筒状の支柱に取り付けられるビデオカメラと、太陽電池パネルを有する発電装置とを備え、前記太陽電池パネルは、前記支柱の頂部に取り付けられ、前記太陽電池パネル全体を覆う透明カバーを有し、前記アンテナと前記ビデオカメラは、前記透明カバーの前記支柱から突出する領域の下側に取り付けられる。また、前記筒状の支柱の内部を経由して、前記透明カバー内に温風を送出する温風送出手段を備える。【選択図】        図１
2005123442.tif 000002
【特許請求の範囲】
【請求項１】
筒状の支柱と、
前記筒状の支柱に取り付けられるアンテナと、
前記筒状の支柱に取り付けられるビデオカメラと、
太陽電池パネルを有する発電装置とを備える発電装置付き無線システムであって、
前記太陽電池パネルは、前記支柱の延長端部に取り付けられ、
前記太陽電池パネル全体を覆う透明カバーを有し、
前記アンテナと前記ビデオカメラは、前記透明カバーの前記支柱から突出する領域の下側に取り付けられることを特徴とする発電装置付き無線システム。
【請求項２】
前記筒状の支柱の内部を経由して、前記透明カバー内に温風を送出する温風送出手段を備えることを特徴とする請求項１に記載の発電装置付き無線システム。
【請求項３】
前記発電装置は、発電機を備え、
前記発電機の作動時に、前記発電機から放出される温風を前記筒状の支柱の内部を経由して、前記透明カバー内に送出する温風送出手段を備えることを特徴とする請求項１に記載の発電装置付き無線システム。
【発明の詳細な説明】
【技術分野】
【０００１】
本発明は、発電装置付き無線システムに係り、特に、商用電源の供給が困難な地域に設置される無線ＬＡＮや無線中継装置に最適な発電装置付き無線システムに関する。
【背景技術】
【０００２】
農作物の野生動物による被害、あるいは、農作物の盗難が後を絶たない。これらの被害を少なくするために、田畑にビデオカメラを備えた無線中継装置を設置し、ビデオカメラの映像を無線でセンタに送信し、常時田畑を監視する方法が考えられる。
しかしながら、人家から遠く離れた田畑にビデオカメラを備えた無線中継装置を設置する場合には、無線中継装置の電源として商用電源を使用することが困難な場合がある。
そのため、このような場合には、発電装置付き無線システムを構築する必要があり、この発電装置として、メンテナンスの省力化のため太陽電池パネルを利用することが有効である。
太陽電池パネルは光変換効率が小さいため、太陽光を遮らぬよう高所に設置した上、極力、太陽光線と垂直になるように、受光面を設置することが望まれる。通常、太陽電池パネルを南方に向け、設置場所に相当する緯度に合わせて俯角を合わせる。
さらに、太陽電池パネルを設置する支柱には、無線機やアンテナの他、夜間や濃天時の運用に備え二次電池、並びに充放電装置が取り付けられる。
【発明の開示】
【発明が解決しようとする課題】
【０００３】
しかしながら、太陽電池で、最大の発電量が得られるのは、南中時であり、この前後３時間程度で１日分の電気量を蓄電せねばならず、結果的に大きな太陽電池パネルが必要になる。
また、積雪時には早急に除雪する必要があるが、高所に設置されているため難しい。さらに、例え、太陽電池パネルをカバーで覆っても、アンテナやカメラ等の周辺機器が雨雪にさらされたのでは、通信が不安定になったり、映像に不具合を生ずる。
本発明は、前記従来技術の問題点を解決するためになされたものであり、本発明の目的は、太陽電池パネル自体が、風雨、降雪にさらされるのを防止し、かつ、アンテナやビデオカメラが、直接、降雨、降雪にさらされ、それぞれの機能が損なわれるの防止することが可能な発電装置付き無線システムを提供することにある。
【課題を解決するための手段】
【０００４】
本願において開示される発明のうち、代表的なものの概要を簡単に説明すれば、下記の通りである。
前述の目的を達成するために、本発明では、筒状の支柱の延長端部に透明カバー（例えば、透明樹脂のカバー、または、ガラスのカバー）を取り付け、当該透明カバーの内部に太陽電池パネルを設置し、さらに、透明カバーの前記支柱から突出した領域の下側にアンテナやビデオカメラを取り付ける。
これにより、太陽電池パネル全体が前記透明カバーで覆われることになるので、太陽電池パネル自体が、風雨、降雪にさらされることがないばかりか、風荷重を受けることがないため、簡易な駆動装置で、太陽を追尾でき効率よく発電できる。
また、本発明では、温風送出手段により、筒状の支柱の内部を経て透明カバー内に温風を供給するようにしたので、降雪時に、透明カバーに付着した雪を除雪することができる。
また、透明カバーの前記支柱から突出した領域が庇となり、透明カバーが傘の役目を果たすので、アンテナやビデオカメラが、直接、降雨、降雪にさらされることがないため、それぞれの機能が損なわれることがない。
【発明の効果】
【０００５】
本願において開示される発明のうち代表的なものによって得られる効果を簡単に説明すれば、下記の通りである。
本発明の発電装置付き無線システムによれば、太陽電池パネル自体が、風雨、降雪にさらされるのを防止し、かつ、アンテナやビデオカメラが、直接、降雨、降雪にさらされ、それぞれの機能が損なわれるのを防止することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例１の発電装置付き無線システムが適用される全体システム構成を示す図である。
図１において、１００は、本実施例の発電装置付き無線システムであり、本実施例の発電装置付き無線システムは、センタ１１０と無線で接続される。
本実施例の発電装置付き無線システム１００は、例えば、田畑に設置される。
図２は、本発明の実施例１の発電装置付き無線システム１００の概略構成を示す図である。
同図において、１は、例えば、鋼管柱などの筒状の支柱であり、この支柱１の頂部に、太陽電池パネル６が取り付けられる。太陽電池パネル６は、方位追尾機構１０により、常に太陽を向くように制御される。
支柱１の頂部には、カバー支持部１３により、透明カバー（例えば、透明樹脂のカバー、または、ガラスのカバー）７が取り付けられ、この透明カバー内に、太陽電池パネル６が配置される。さらに、この透明カバー内には、二次電池１１、充放電制御装置１２も配置される。
【０００７】
支柱１には、ブリッジ用アンテナ２、アクセスポイント用アンテナ３、無線ＬＡＮ無線機ブリッジおよびアクセスポイント４、ビデオカメラ５も取り付けられる。なお、アクセスポイント用アンテナ３と、無線ＬＡＮ無線機ブリッジおよびアクセスポイント４とは、防水箱内に設置される。
ブリッジ用アンテナ２およびビデオカメラ５は、透明カバー７の支柱１から突出した領域の下側に取り付けられる。また、８は避雷針、９は避雷導線、１４はガスボンベ、１５は点火部、１６は通風口である。
本実施例では、図２に示すように、支柱１の頂部に太陽電池パネル６を取り付け、当該太陽電池パネル全体を透明カバー７で覆うようにしたので、太陽電池パネル自体が、風雨・降雪にさらされることがないばかりか、風荷重を受けることがないため、簡易な方位追尾機構１０により、太陽を追尾でき効率よく発電でき、高価な太陽電池パネルを縮小することが可能となる。
また、降雪時には、ガスボンベ１４から供給されるガスを、点火部１５で燃焼させることにより、支柱１の内部を経て透明カバー内に温風を供給することができ、速やかに除雪することが可能である。
さらに、また、透明カバー７の支柱１から突出した領域が庇となり、透明カバー７が傘の役目をするので、ブリッジ用アンテナ２、およびビデオカメラ５が、直接、降雨、降雪にさらされることがないため、それぞれの機能が損なわれることがない。
【０００８】
図３は、本実施例の発電装置付き無線システム１００の電源系、および信号系を示す機能ブロック図である。なお、図３では、二次電池が、現用の二次電池１１ａと、予備の二次電池１１ｂの２個配置される場合を図示している。
太陽電池パネル６で十分な電力が発電されているときは、太陽電池パネル６で発電された電力が各部に供給され、余剰電力は二次電池（１１ａ，１１ｂ）に蓄えられる。
太陽電池パネル６で発電される電力が低下したときには、充放電制御装置１２が、二次電池（１１ａ，１１ｂ）から各部に電力を供給するように切り替える。
本実施例では、ビデオカメラ５はネットワークカメラとして図示されており、充放電制御装置１２により、二次電池１１ａから二次電池１１ｂに切り替えた電池切替信号は、ネットワークカメラ５、ハブ２３、無線ＬＡＮ無線機ブリッジおよびアクセスポイント４、ブリッジ用アンテナ２を介してセンタ１１０に送信される。
また、融雪着火作動解除信号は、ブリッジ用アンテナ２、無線ＬＡＮ無線機ブリッジおよびアクセスポイント４、ハブ２３、ネットワークカメラ５を介して充放電制御装置１２に送信される。
図３に示すように、本実施例では、各種センサが接続されるセンサＩ／Ｏ（２５）を備え、このセンサＩ／Ｏ（２５）に接続されるセンサの信号は、ＬＡＮアダプタ２４、ハブ２３を介して、ネットワークカメラ５に入力される。
融雪着火制御装置２１は、温度センサ２２で検出される温度に基づき、着火装置２０を制御し、降雪時に、ガスボンベ１４から供給されるガスを点火部１５で燃焼させて、支柱１の内部を経て透明カバー内に温風を供給する。
この場合に、ネットワークカメラ５により降雪が確認されない場合には、融雪着火作動解除信号を送出することが可能である。
なお、アクセスポイント用アンテナ３は、例えば、支柱１から離れた場所に設置されるセンサの信号、あるいは、農機具の稼働状態を示す信号などを受信する。
【０００９】
［実施例２］
図４は、本発明の実施例２の発電装置付き無線システム１００の概略構成を示す図である。
本実施例は、発電機１７を備え、かつ、発電機１７の作動時に、発電機１７から放出される温風を、筒状の支柱１の内部を経由して、透明カバー内に送出するようにした点で、前述の実施例と相異する。
以下、本実施例の発電装置付き無線システム１００について、前述の実施例との相違点を中心に説明する。
本実施例でも、図４に示すように、支柱１の頂部に太陽電池パネル６を取り付け、当該太陽電池パネル全体を透明カバー７で覆うようにしたので、太陽電池パネル自体が、風雨・降雪にさらされることがないばかりか、風荷重を受けることがないため、簡易な方位追尾機構１０により、太陽を追尾でき効率よく発電でき、高価な太陽電池パネルを縮小することが可能となる。
本実施例では、筒状の支柱１の内部に、発電機１７の放熱フィン１８が配置される。
したがって、本実施例では、降雪時に、発電機１７を作動させることにより、発電機１７で発電するとともに、発電機１７から放出される排熱を、支柱１の内部を経て透明カバー内に供給することができ、速やかに除雪することが可能である。
さらに、また、透明カバー７の支柱１から突出した領域が庇となり、透明カバー７が傘の役目をするので、ブリッジ用アンテナ２、およびビデオカメラ５が、直接、降雨、降雪にさらされることがないため、それぞれの機能が損なわれることがない。
【００１０】
図５は、本実施例の発電装置付き無線システム１００の電源系、および信号系を示す機能ブロック図である。
本実施例でも、太陽電池パネル６で十分な電力が発電されているときは、太陽電池パネル６で発電された電力が各部に供給され、余剰電力は二次電池１１に蓄えられる。
太陽電池パネル６で発電される電力が低下したときには、充放電制御装置１２が、二次電池からの電力、あるいは発電機１７で発電された電力を各部に供給するように切り替える。
発電機始動制御装置２６は、温度センサ２２で検出される温度に基づき、発電機１７を始動させる。ここで、燃料の残量が少なくなった時には、燃料残量不足信号が、充放電制御装置１２を介してネットワークカメラ５に送信され、ブリッジ用アンテナ２からセンタ１１０に送信される。
また、センタ１１０からの発電強制停止信号は、ネットワークカメラ５、充放電制御装置１２を介して発電機始動制御装置２６に送信される。
なお、図３、図５において、点線で示す方位追尾機構１０、ＬＡＮアダプタ２４、あるいはセンサＩ／Ｏ（２５）は必ずしも必要ではなく、省略することも可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例１の発電装置付き無線システムが適用される全体システム構成を示す図である。
【図２】本発明の実施例１の発電装置付き無線システムの概略構成を示す図である。
【図３】本発明の実施例１の発電装置付き無線システムの電源系、および信号系を示す機能ブロック図である。
【図４】本発明の実施例２の発電装置付き無線システムの概略構成を示す図である。
【図５】本発明の実施例２の発電装置付き無線システムの電源系、および信号系を示す機能ブロック図である。
【符号の説明】
【００１２】
１  筒状の支柱
２  ブリッジ用アンテナ
３  アクセスポイント用アンテナ
４  無線ＬＡＮ無線機ブリッジおよびアクセスポイント
５  ビデオカメラ
６  太陽電池パネル
７  透明カバー
８  避雷針
９  避雷導線
１０  方位追尾機構
１１，１１ａ，１１ｂ  二次電池
１２  充放電制御装置
１３  カバー支持部
１４  ガスボンベ
１５  点火部
１６  通風口
１７  発電機
１８  放熱フィン
２０  着火装置
２１  融雪着火制御装置
２２  温度センサ
２３  ハブ
２４  ＬＡＮアダプタ
２５  センサＩ／Ｏ
２６  発電機始動制御装置
１００  発電装置付き無線システム
１１０  センタ
【図１】
2005123442.tif 000003
【図２】
2005123442.tif 000004
【図３】
2005123442.tif 000005
【図４】
2005123442.tif 000006
【図５】
2005123442.tif 000007